(57)【要約】【課題】従来のＡＶネットワーク対応録画再生機器では、複数の外部機器から異なる制御プロトコルにより制御を受けた場合に、制御シーケンスの一貫性を保てないといった課題があった。【解決手段】ある制御機器から記録開始のコマンドを受け付けた後は、その制御機器からの記録停止コマンドを受けるまでは、他の制御機器から本機の記録状態を変化させるようなコマンドを受け付けない。また、ある制御機器から再生開始のコマンドを受け付けた後は、その制御機器からの再生停止コマンドを受けるまでは、他の制御機器から本機の再生状態を変化させるようなコマンドを受け付けない。これにより、ひとつの制御機器からの制御シーケンスの一貫性を保つことができる。【選択図】図１
2005184079.tif 000002
【特許請求の範囲】
【請求項１】
複数の異なる通信プロトコルを持つＡＶネットワークに接続され、複数の制御機器から制御を受けることが可能なＡＶネットワーク対応記録再生装置であって、
前記複数の制御機器の中の第１の制御機器から制御コマンドを受け付けた後は、所定の期間、他の制御機器から所定の制御コマンドを受け付けないことを特徴とするＡＶネットワーク対応記録再生装置。
【請求項２】
前記第１の制御機器から受け付けた制御コマンドが再生開始を指示する制御コマンドであるとき、
前記所定の期間は、前記第１の制御機器から再生停止を指示する制御コマンドを受けるまでの期間であり、
前記所定の制御コマンドは、本機の再生状態を変化させる制御コマンドであることを特徴とする請求項１に記載のＡＶネットワーク対応記録再生装置。
【請求項３】
前記所定の制御コマンドは、本機の記録状態を変化させる制御コマンドをさらに含むことを特徴とする請求項２記載のＡＶネットワーク対応記録再生装置。
【請求項４】
前記第１の制御機器から受け付けた制御コマンドが記録開始を指示する制御コマンドであるとき、
前記所定の期間は、前記第１の制御機器から記録停止を指示する制御コマンドを受けるまでの期間であり、
前記所定の制御コマンドは、本機の記録状態を変化させる制御コマンドであることを特徴とする請求項１に記載のＡＶネットワーク対応記録再生装置。
【請求項５】
前記所定の制御コマンドは、本機の再生状態を変化させる制御コマンドをさらに含むことを特徴とする請求項４記載のＡＶネットワーク対応記録再生装置。
【請求項６】
前記所定の期間中に、前記他の制御機器から前記所定の制御コマンドを受けたとき、
所定のエラー情報を、前記所定の制御コマンドを送った前記他の制御機器に通知することを特徴とする請求項１〜５のいずれかに記載のＡＶネットワーク対応記録再生装置。
【請求項７】
前記ＡＶネットワークは、ＩＥＥＥ１３９４バス・インターフェース規格もしくは、ＨＤＭＩ（High Definition Multimedia Interface）規格の回線を介して形成されていることを特徴とする、請求項１〜６のいずれかに記載のＡＶネットワーク対応記録再生装置。
【発明の詳細な説明】
【技術分野】
【０００１】
本発明は、ＩＥＥＥ１３９４ネットワークやＨＤＭＩ(High Definition Multimedia Interface)により接続されたデジタルテレビ、ＳＴＢ等のコントローラによって遠隔操作され、音声・映像に関するＡＶコンテンツを記録媒体へ記録再生する技術に関する。
【背景技術】
【０００２】
近年、ＩＥＥＥ１３９４バス・インターフェース規格やＨＤＭＩ規格の回線で構成されたネットワークにより相互接続された複数の機器が、音声・映像に関するコンテンツを含むデータ信号やコマンドと呼ばれる制御信号等をやりとりして、コンテンツを記録・再生するシステムが出現している。
【０００３】
以下、図４を参照しながら、従来のＡＶネットワーク記録再生システムを説明する。図４は、ディスクレコーダ１とデジタルテレビ（ＤＴＶ）３とが１３９４ネットワーク（双方向）により接続され、同時にディスクレコーダ１とプラズマテレビ２がＨＤＭＩ（ディスクレコーダ１が出力、プラズマテレビ２が入力）により接続された記録再生システムの構成を示す。
【０００４】
なお以降のＩＥＥＥ１３９４に関する技術内容は、非特許文献１〜４を、ＨＤＭＩに関する技術内容は、非特許文献５を参照されたい。
【０００５】
ディスクレコーダ１の１２は外部機器からの１３９４コマンドを受け付けて解析する１３９４コマンドターゲット部、１３は外部機器からのＨＤＭＩコマンドを受け付けて解析するＨＤＭＩコマンドターゲット部である。このようにディスクレコーダ１は、異なるプロトコルを持つふたつのＡＶネットワークからのコマンドを受け付けて処理する機能を有している。１１は、外部より取り込んだもしくは内部で生成した映像音声信号を、実際に記録再生するための記録媒体である。記録媒体としては、リムーバブルディスクタイプのもの、もしくは取り出し不可のハードディスクタイプのものなどが想定される。１４は１３９４ネットワークからのＡＶ信号を入出力し、制御コマンドを外部機器とやりとりする１３９４端子である。１３９４は、バス型のネットワークなので、ひとつの物理端子により、信号の入出力を行う。１５は、ＨＤＭＩのＡＶ信号を出力し、制御コマンドを外部機器とやりとりするＨＤＭＩ出力端子である。
【０００６】
プラズマテレビ２およびデジタルテレビ３は、ディスクレコーダ１のコントローラとして使用可能な機器であり、各々ＨＤＭＩコマンドコントローラ部２１と、１３９４コマンドコントローラ部３１を有している。２２は、プラズマテレビ２にＨＤＭＩのＡＶ信号を入力し、制御コマンドを外部機器とやりとりするＨＤＭＩ入力端子、３２はデジタルテレビ３に１３９４からのＡＶ信号を入出力し、制御コマンドを外部機器とやりとりする１３９４端子である。
【０００７】
ユーザーの使用シーンとしては、プラズマテレビ２とディスクレコーダ１がリビングルームに設置され、デジタルテレビ３は寝室に設置され、プラズマテレビ２とディスクレコーダ１がＨＤＭＩケーブル４０１により接続され、デジタルテレビ３とディスクレコーダ１が１３９４ネットワーク４００により接続されているようなシーンが想定される。
【０００８】
ユーザーがリビングルームにいるときに、ディスクレコーダ１の記録媒体１０に記録されたコンテンツを見たいときには、プラズマテレビ２からディスクレコーダ１を、ＨＤＭＩネットワークを介して遠隔操作して再生させて視聴し、寝室にいるときには、デジタルテレビ３から１３９４ネットワークを介して遠隔操作により再生させて視聴するといった使い方が可能である。
【０００９】
特許文献１には、本発明と同様に複数の機器から、ひとつの被制御機器が操作されるという使用形態が開示されている。ただし、特許文献１ではＡＶネットワークとしては、１３９４ネットワークしか想定されていない。
【特許文献１】特開２００１−２０４０９１号公報
【非特許文献１】IEEE Std 1394-1995, Standard for a High Performance Serial Bus
【非特許文献２】IEC61883, Consumer audio/video equipment-Digital Interface
【非特許文献３】1394 Trade Association document number 1998003, AV/C Digital Interface Command Set General Specification, version3.0
【非特許文献４】1394 Trade Association document number 1998013, AV/C Disc SubunitGeneral Specification
【非特許文献５】HDMI Licencing LLC, High-Definition Multimedia Interface Specification Version 1.0
【発明の開示】
【発明が解決しようとする課題】
【００１０】
従来例のような記録再生システムでは、ひとりのユーザーがプラズマテレビ２とデジタルテレビ３を交互に操作する場合には問題がないが、ふたりのユーザーが存在し、各々のユーザーが、ディスクレコーダ１に同時に遠隔操作を指示した場合に問題が発生する。
【００１１】
図５は、従来例の記録再生システムで発生する問題を示すチャートである。なお、ディスクレコーダ１の記録再生機能として、記録と再生を同時に行うことができる機能を有することも想定されるが、ここではそのような同時記録再生機能は有しないものとしてはなしを進める。
【００１２】
まず、ディスクレコーダ１は停止状態とする。この状態でプラズマテレビ２を視聴しているユーザーが、いま見ている番組を記録したいと思い立ち、ディスクレコーダ１に対して記録開始を指示する。プラズマテレビ２のＨＤＭＩコマンドコントローラ部２１はユーザー操作を受けて、ディスクレコーダ１に対して、記録を開始するコマンドを発行する。記録開始コマンドは、ディスクレコーダ１のＨＤＭＩコマンドターゲット部１３にて受信されコマンド解析ののち、記録媒体１０に対する実際の記録動作開始指示が行われる。記録開始を受けてＨＤＭＩコマンドターゲット部１３は、プラズマテレビ２に対して記録開始成功のレスポンスを返す。
【００１３】
次にしばらく後に、寝室にいる別のユーザーが、ディスクレコーダ１の記録媒体１１のコンテンツの再生を思い立ち、デジタルテレビ３から再生開始を指示したとする。デジタルテレビ３の１３９４コマンドコントローラ部３１はユーザー操作を受けて、ディスクレコーダ１に対して、再生を開始するコマンドを発行する。再生開始コマンドは、ディスクレコーダ１の１３９４コマンドターゲット部１２にて受信されコマンド解析ののち、記録媒体１０に対する実際の再生動作開始指示が行われる。このとき同時記録再生動作はできないので、記録動作は中断される。再生開始を受けて１３９４コマンドターゲット部１２は、デジタルテレビ３に対して再生開始成功のレスポンスを返す。
【００１４】
以上のような動作をした場合、リビングルームにいるユーザーにとっては、ディスクレコーダ１に記録を指示したつもりでいたところ、自分が気がつかないうちに記録が中断されて必要な番組の記録ができない結果になっており、混乱することになる。
【００１５】
本発明の目的は、このような混乱を回避し、ユーザーに納得性のある動作をするＡＶネットワーク対応記録再生装置を提供することである。
【課題を解決するための手段】
【００１６】
本発明にかかるＡＶネットワーク対応記録再生装置は、複数の異なる通信プロトコルを持つＡＶネットワークに接続され、第１および第２の制御機器から制御をうけることが可能なＡＶネットワーク対応記録再生装置であって、第１の制御機器から制御コマンドを受け付けた後は、所定の期間、第２の制御機器から所定の制御コマンドを受け付けないことを特徴とする。
【００１７】
また、第１の制御機器から受け付けた制御コマンドが再生開始を指示する制御コマンドであるとき、所定の期間は、第１の制御機器から再生停止を指示する制御コマンドを受けるまでの期間であり、所定の制御コマンドは、本機の再生状態を変化させる制御コマンドであることを特徴とする。
【００１８】
また、所定の制御コマンドは、本機の記録状態を変化させる制御コマンドをさらに含むことを特徴とする。
【００１９】
また、第１の制御機器から受け付けた制御コマンドが記録開始を指示する制御コマンドであるとき、所定の期間は、第１の制御機器から記録停止を指示する制御コマンドを受けるまでの期間であり、所定の制御コマンドは、本機の再生状態もしくは記録状態を変化させる制御コマンドであることを特徴とする。
【００２０】
また、所定の制御コマンドは、本機の記録状態を変化させる制御コマンドをさらに含むことを特徴とする。
【００２１】
また、所定の期間中に、第２の制御機器から所定の制御コマンドを受けたとき、所定のエラー情報を、第２の制御機器に通知することを特徴とする。
【００２２】
また、ＡＶネットワークは、ＩＥＥＥ１３９４バス・インターフェース規格もしくは、ＨＤＭＩ（High Definition Multimedia Interface）規格の回線を介して形成されていることを特徴とする。
【００２３】
これにより上記目的が達成される。
【発明の効果】
【００２４】
本発明の記録再生装置によれば、ネットワークプロトコルの異なる複数のコントローラから制御を受けた場合に、いずれかのコントローラから一度制御を受けた後、その動作（記録、再生）が完結するまでは、他のコントローラからの制御を受け付けないようにするので、動作の一貫性が保たれる。また、受付を拒否したコントローラ側にも、拒否レスポンスに、「他機が使用中なので操作できない」旨のエラーコードを付随させて送るので、操作できないコントローラを操作しているユーザーにも無用な混乱を与えることがないという顕著な効果を得られる。
【発明を実施するための最良の形態】
【００２５】
以下、添付の図面を参照しながら、本発明によるディスクレコーダの実施形態を説明する。
【００２６】
（実施の形態１）
図１は、ディスクレコーダ１とデジタルテレビ３とが１３９４ネットワーク（双方向）により接続され、同時にディスクレコーダ１とプラズマテレビ２がＨＤＭＩ（ディスクレコーダ１が出力、プラズマテレビ２が入力）により接続された記録再生システムの構成を示す。
【００２７】
ディスクレコーダ１の１２は外部機器からの１３９４コマンドを受け付けて解析する１３９４コマンドターゲット部、１３は外部機器からのＨＤＭＩコマンドを受け付けて解析するＨＤＭＩコマンドターゲット部である。このようにディスクレコーダ１は、異なるプロトコルを持つふたつのＡＶネットワークからのコマンドを受け付けて処理する機能を有している。１１は、外部より取り込んだもしくは内部で生成した映像音声信号を、実際に記録再生するための記録媒体である。記録媒体としては、リムーバブルディスクタイプのもの、もしくは取り出し不可のハードディスクタイプのものなどが想定される。１０は、自機の状態及びコマンド受付状態に基づいて、コマンド受付の可否を判定するコマンド受付可否判定部である。１４は１３９４ネットワークからのＡＶ信号を入出力し、制御コマンドを外部機器とやりとりする１３９４端子である。１３９４は、バス型のネットワークなので、ひとつの物理端子により、信号の入出力を行う。１５は、ＨＤＭＩのＡＶ信号を出力し、制御コマンドを外部機器とやりとりするＨＤＭＩ出力端子である。
【００２８】
プラズマテレビ２およびデジタルテレビ３は、ディスクレコーダ１のコントローラとして使用可能な機器であり、各々ＨＤＭＩコマンドコントローラ部２１と、１３９４コマンドコントローラ部３１を有している。２２は、プラズマテレビ２にＨＤＭＩのＡＶ信号を入力し、制御コマンドを外部機器とやりとりするＨＤＭＩ入力端子、３２はデジタルテレビ３に１３９４からのＡＶ信号を入出力し、制御コマンドを外部機器とやりとりする１３９４端子である。
【００２９】
なお、ディスクレコーダ１の記録再生機能として、記録と再生を同時に行うことができる機能を有することも想定されるが、実施の形態１ではそのような同時記録再生機能は有しないものとしてはなしを進める。
【００３０】
ユーザーの使用シーンとしては、プラズマテレビ２とディスクレコーダ１がリビングルームに設置され、デジタルテレビ３は寝室に設置され、プラズマテレビ２とディスクレコーダ１がＨＤＭＩケーブル４０１により接続され、デジタルテレビ３とディスクレコーダ１が１３９４ネットワーク４００により接続されているようなシーンが想定される。
【００３１】
ユーザーがリビングルームにいるときに、ディスクレコーダ１の記録媒体１０に記録されたコンテンツを見たいときには、プラズマテレビ２からディスクレコーダ１を、ＨＤＭＩネットワークを介して遠隔操作して再生させて視聴し、寝室にいるときには、デジタルテレビ３から１３９４ネットワークを介して遠隔操作により再生させて視聴するといった使い方が可能である。
【００３２】
このような記録再生システムにおいて、リビングと寝室に別々のユーザーがおり、同時にディスクレコーダ１にアクセスしようとした場合の動作について、図２を参照しながら説明する。
【００３３】
図２は、リビングルームのユーザーが、プラズマテレビ２を介して、ディスクレコーダ１に記録を開始させたあとの動作シーケンスを示すものである。
【００３４】
まず、ディスクレコーダ１は停止状態とする。この状態でプラズマテレビ２を視聴しているユーザーが、いま見ている番組を記録したいと思い立ち、ディスクレコーダ１に対して記録開始を指示する。プラズマテレビ２のＨＤＭＩコマンドコントローラ部２１はユーザー操作を受けて、ディスクレコーダ１に対して、記録を開始するコマンドを発行する。記録開始コマンドは、ディスクレコーダ１のＨＤＭＩコマンドターゲット部１３にて受信されコマンド解析ののち、コマンド受付可否判定部１０に送られる。現在ディスクレコーダ１は停止状態であり、コマンド受付「可」状態であるので、そのまま記録媒体１１に対する実際の記録動作開始指示が行われる。このとき、コマンド受付可否判定部１０は、プラズマテレビ２から録画指示をうけたことを記憶する。記録開始ＯＫを受けてＨＤＭＩコマンドターゲット部１３は、プラズマテレビ２に対して記録開始ＯＫのレスポンスを返す。
【００３５】
次にしばらく後に、寝室にいる別のユーザーが、ディスクレコーダ１の記録媒体１１のコンテンツの再生を思い立ち、デジタルテレビ３から再生開始を指示したとする。デジタルテレビ３の１３９４コマンドコントローラ部３１はユーザー操作を受けて、ディスクレコーダ１に対して、再生を開始するコマンドを発行する。再生開始コマンドは、ディスクレコーダ１の１３９４コマンドターゲット部１２にて受信される。１３９４コマンドターゲット部１２は、この再生開始指示を受け付けてもよいかどうか、コマンド受付可否判定部１０に問い合わせる。このとき、コマンド受付可否判定部１０は、プラズマテレビ２からの記録処理を受け付けていると記憶しているので、この再生開始受付は「否」と判定する。「否」の判定をうけた１３９４コマンドターゲット部１２は、デジタルテレビ３に対して再生開始ＮＧのレスポンスを返す。ただし、このレスポンスを返すときに、「他機が使用中なので使用できない」旨を明示するエラーコードを添付する。このエラーコードを受けたデジタルテレビ３は、画面に「他機が使用中なので使用できない」等のメッセージを表示して、ユーザーに通知する。
【００３６】
次に、寝室にいるユーザーが、ディスクレコーダ１の記録媒体１１の記録動作を停止させようとして、デジタルテレビ３から記録停止を指示したとする。デジタルテレビ３の１３９４コマンドコントローラ部３１はユーザー操作を受けて、ディスクレコーダ１に対して、記録を停止するコマンドを発行する。記録停止コマンドは、ディスクレコーダ１の１３９４コマンドターゲット部１２にて受信される。１３９４コマンドターゲット部１２は、この記録停止指示を受け付けてもよいかどうか、コマンド受付可否判定部１０に問い合わせる。コマンド受付可否判定部１０は、デジタルテレビ３からではなく、プラズマテレビ２からの記録処理を受け付けていると記憶しているので、この記録停止は「否」と判定する。「否」の判定をうけた１３９４コマンドターゲット部１２は、デジタルテレビ３に対して記録停止失敗のレスポンスを返す。このレスポンスを返すときに、「他機が使用中なので使用できない」旨を示すエラーコードを添付する。このエラーコードを受けたデジタルテレビ３は、画面に「他機が使用中なので使用できない」等のメッセージを表示して、ユーザーに通知する。
【００３７】
次に、プラズマテレビ２を視聴しているユーザーが、記録の停止を思い立ち、ディスクレコーダ１に対して記録停止を指示する。プラズマテレビ２のＨＤＭＩコマンドコントローラ部２１はユーザー操作を受けて、ディスクレコーダ１に対して、記録を停止するコマンドを発行する。記録停止コマンドは、ディスクレコーダ１のＨＤＭＩコマンドターゲット部１３にて受信されコマンド解析される。ＨＤＭＩコマンドターゲット部１３は、この記録停止指示を受け付けてもよいかどうか、コマンド受付可否判定部１０に問い合わせる。コマンド受付可否判定部１０は、プラズマテレビ２からの録画処理を受け付けていると記憶しているおり、当のプラズマテレビ２からの指示なので、この記録停止指示は「可」と判定する。「可」の判定をうけたＨＤＭＩコマンドターゲット部１３は、記録媒体１０に対する実際の記録停止指示を行う。記録停止を受けてＨＤＭＩコマンドターゲット部１３は、プラズマテレビ２に対して記録停止ＯＫのレスポンスを返す。また、コマンド受付可否判定部１０は、プラズマテレビ２から録画指示をうけたことをキャンセルし、いずれの機器からのコマンドも受け付けていないニュートラル状態にもどる。
【００３８】
よってこのあと、デジタルテレビ３から再生指示をうけた場合は、これをうけつける。
【００３９】
また、これ以降、逆にプラズマテレビ２からの録画および再生コマンドは受け付けないモードとなる。
【００４０】
（実施の形態２）
実施の形態２は、構成としては図１と同じとなるので、構成の説明は繰り返さない。実施の形態２では、ディスクレコーダ１の記録再生機能として、記録と再生を同時に行うことができる機能を有する点が実施の形態１と異なる点である。
【００４１】
ユーザーの使用シーンとしても、実施の形態１と同様である。
【００４２】
このような記録再生システムにおいて、リビングルームと寝室に別々のユーザーがおり、同時にディスクレコーダ１にアクセスしようとした場合の動作について、図３を参照しながら説明する。
【００４３】
図３は、リビングルームのユーザーが、プラズマテレビ２を介して、ディスクレコーダ１に録画を開始させたあとの動作シーケンスを示すものである。
【００４４】
まず、ディスクレコーダ１は停止状態とする。この状態でプラズマテレビ２を視聴しているユーザーが、いま見ている番組を記録したいと思い立ち、ディスクレコーダ１に対して記録開始を指示する。プラズマテレビ２のＨＤＭＩコマンドコントローラ部２１はユーザー操作を受けて、ディスクレコーダ１に対して、記録を開始するコマンドを発行する。記録開始コマンドは、ディスクレコーダ１のＨＤＭＩコマンドターゲット部１３にて受信されコマンド解析ののち、コマンド受付可否判定部１０に送られる。現在ディスクレコーダ１は停止状態であり、コマンド受付「可」状態であるので、そのまま記録媒体１１に対する実際の記録動作開始指示が行われる。記録開始を受けてＨＤＭＩコマンドターゲット部１３は、プラズマテレビ２に対して記録開始成功のレスポンスを返す。また、コマンド受付可否判定部１０は、プラズマテレビ２から記録指示をうけたことを記憶する。
【００４５】
次にしばらく後に、寝室にいる別のユーザーが、ディスクレコーダ１の記録媒体１１のコンテンツの再生を思い立ち、デジタルテレビ３から再生開始を指示したとする。デジタルテレビ３の１３９４コマンドコントローラ部３１はユーザー操作を受けて、ディスクレコーダ１に対して、再生を開始するコマンドを発行する。再生開始コマンドは、ディスクレコーダ１の１３９４コマンドターゲット部１２にて受信される。１３９４コマンドターゲット部１２は、この再生開始指示を受け付けてもよいかどうか、コマンド受付可否判定部１０に問い合わせる。コマンド受付可否判定部１０は、プラズマテレビ２からの記録処理を受け付けていると記憶しており、かつ実施の形態２ではディスクレコーダ１は、同時記録再生機能を有しているので、この再生開始は「可」と判定する。「可」の判定をうけた１３９４コマンドターゲット部１２は、デジタルテレビ３に対して再生開始成功のレスポンスを返す。また、コマンド受付可否判定部１０は、プラズマテレビ２から録画指示をうけたことに加えて、デジタルテレビ３から再生指示を受けたことを記憶する。
【００４６】
次に、寝室にいるユーザーが、ディスクレコーダ１の記録媒体１１の記録動作を停止させようとして、デジタルテレビ３から記録停止を指示したとする。デジタルテレビ３の１３９４コマンドコントローラ部３１はユーザー操作を受けて、ディスクレコーダ１に対して、記録を停止するコマンドを発行する。記録停止コマンドは、ディスクレコーダ１の１３９４コマンドターゲット部１２にて受信される。１３９４コマンドターゲット部１２は、この記録停止指示を受け付けてもよいかどうか、コマンド受付可否判定部１０に問い合わせる。コマンド受付可否判定部１０は、デジタルテレビ３からではなく、プラズマテレビ２からの記録処理を受け付けていると記憶しているので、この記録停止は「否」と判定する。「否」の判定をうけた１３９４コマンドターゲット部１２は、デジタルテレビ３に対して記録停止失敗のレスポンスを返す。ただし、このレスポンスを返すときに、「他機が使用中なので使用できない」旨を示すエラーコードを添付する。このエラーコードを受けたデジタルテレビ３は、画面に「他機が使用中なので使用できない」等のメッセージを表示して、ユーザーに通知する。
【００４７】
次に、プラズマテレビ２を視聴しているユーザーが、記録の停止を思い立ち、ディスクレコーダ１に対して記録停止を指示する。プラズマテレビ２のＨＤＭＩコマンドコントローラ部２１はユーザー操作を受けて、ディスクレコーダ１に対して、記録を停止するコマンドを発行する。記録停止コマンドは、ディスクレコーダ１のＨＤＭＩコマンドターゲット部１３にて受信されコマンド解析される。ＨＤＭＩコマンドターゲット部１３は、この記録停止指示を受け付けてもよいかどうか、コマンド受付可否判定部１０に問い合わせる。コマンド受付可否判定部１０は、プラズマテレビ２からの記録処理を受け付けていると記憶しているおり、当のプラズマテレビ２からの指示なので、この記録停止指示は「可」と判定する。「可」の判定をうけたＨＤＭＩコマンドターゲット部１３は、記録媒体１０に対する実際の記録動作停止指示を行う。記録停止を受けてＨＤＭＩコマンドターゲット部１３は、プラズマテレビ２に対して記録停止成功のレスポンスを返す。また、コマンド受付可否判定部１０は、プラズマテレビ２から録画指示をうけたことをキャンセルし、デジタルテレビ３から再生指示を受けたことのみを記憶する状態に遷移する。
【００４８】
よってこのあと、プラズマテレビ２から再生指示をうけた場合は、これを受け付けない。ただし、プラズマテレビ２から記録指示をうけた場合は、これをうけつける。
【００４９】
以上の説明における、記録媒体１１は、例えば光ディスクであってもよいし、（光）磁気ディスクであってもよいし、取り外しのできないハードディスクであってもよい。また、半導体メモリ等の半導体記録装置であってもよい。他の記録媒体を用いる記録再生機器により本発明の機能を実現しても、同様に実施できる。
【００５０】
また、以上の説明におけるＡＶネットワークとしては、ＩＥＥＥ１３９４およびＨＤＭＩを用いた接続で説明したが、同様な機能を持つ別のプロトコルのネットワークが混在しても、同様に実施できる。
【産業上の利用可能性】
【００５１】
本発明にかかる記録再生装置は、複数の外部機器からの制御に対して適切な排他区間を設けることによって、各制御機器からの制御の一貫性を保つことが必要な用途にも適用できる。
【図面の簡単な説明】
【００５２】
【図１】ディスクレコーダとプラズマテレビとデジタルテレビとをネットワークにより接続した記録再生システムの構成を示す図
【図２】プラズマテレビおよびデジタルテレビから同時記録再生機能を有しないディスクレコーダを制御した場合の制御シーケンスを説明する図
【図３】プラズマテレビおよびデジタルテレビから同時記録再生機能を有するディスクレコーダを制御した場合の制御シーケンスを説明する図
【図４】従来のディスクレコーダとプラズマテレビとデジタルテレビとをネットワークにより接続した記録再生システムの構成を示す図
【図５】従来の記録再生システムにおいて、プラズマテレビおよびデジタルテレビから同時記録再生機能を有しないディスクレコーダを制御した場合の制御シーケンスを説明する図
【符号の説明】
【００５３】
１    ディスクレコーダ
１０    コマンド受付可否判定部
１１    記録媒体
１２    １３９４コマンドターゲット部
１３    ＨＤＭＩコマンドターゲット部
１４    １３９４入出力端子
１５    ＨＤＭＩ出力端子
２    プラズマテレビ
２１    ＨＤＭＩコマンドコントローラ部
２２    ＨＤＭＩ入力端子
３    デジタルテレビ
３１    １３９４コマンドコントローラ部
３２    １３９４入出力端子
４００    １３９４ネットワーク
４０１    ＨＤＭＩケーブル
【図１】
2005184079.tif 000003
【図２】
2005184079.tif 000004
【図３】
2005184079.tif 000005
【図４】
2005184079.tif 000006
【図５】
2005184079.tif 000007